(57)【要約】【課題】屋内床の端、隅などに溜まったゴミを迅速かつ効率よく床下に収集し、処分できるゴミ収集装置を提供する。【解決手段】ゴミ収集装置２０は、上方を開口させたゴミ受け凹所１１が屋内床２０の隅空間２１に開設され、該開口１１ａに取り外し開閉可能な覆い蓋１２を被せて構成されている。【選択図】図１
2010047359.tif 000002
【特許請求の範囲】
【請求項１】
上方を開口させたゴミ受け凹所が屋内床の隅空間に開設され、該開口に取り外し開閉可能な覆い蓋を被せて構成されたことを特徴とするゴミ収集装置。
【請求項２】
請求項１において、
上記ゴミ受け凹所に出し入れすることが可能な内ゴミ箱をさらに備えているゴミ収集装置。
【請求項３】
請求項２において、
上記内ゴミ箱は、網目構造であるゴミ収集装置。
【請求項４】
請求項１または３において、
上記ゴミ受け凹所は吸引口を有し、該吸引口を、床下側より該吸引口に一端を接続させた連通管を通じて、掃除機の吸引ホースに連通させて、該掃除機で上記ゴミ受け凹所内に溜まったゴミを吸引する構成としているゴミ収集装置。
【請求項５】
請求項４において、
上記連通管の他端は、壁面または床面に開口された掃除機のホース差込口に連結されているゴミ収集装置。
【発明の詳細な説明】
【技術分野】
【０００１】
本発明は、室内などのゴミを箒などで床下に収集し、集めたゴミを溜めておくことのできるゴミ収集装置に関する。
【背景技術】
【０００２】
近時、家庭内のゴミを床下に一時保管するゴミ収納装置が種々提案されている（例えば、特許文献１を参照）。
【０００３】
この種の床下保管型のゴミ収納装置は、台所などに設置するゴミ収納ポリバケツに代えて、ゴミ回収日までに発生する大量のゴミを一時的に収納するもので、これによって臭気対策、床下デッドスペースの有効利用を図れる。
【特許文献１】実開平５−７２８０６号公報
【発明の開示】
【発明が解決しようとする課題】
【０００４】
ところで、家庭などでは、屋内の床に溜まった塵や埃、髪の毛などのゴミは掃除機を使って吸引除去することが一般的であるが、掃除機では部屋の端、隅などに溜まったゴミをきれいに吸引することは困難である。そのため、掃除機が使いづらい場所では箒を併用してゴミを除去することが通例であるが、一人で掃除機と箒を使って掃除をすることは非常に面倒であり、急ぎの掃除には向かないし、効率的でもない。また、トイレやキッチンなどの小空間では、掃除機は小回りがきかず、ほとんど使い物にならない。
【０００５】
このように、掃除機だけに頼った掃除手法では、頻繁に掃除をしていても、部屋の片隅や小空間などには塵などが溜まってしまうことがある。
【０００６】
また例えば、上述した従来の床下保管型のゴミ収納装置を各部屋のゴミ箱代わりに設置すれば、箒などで掃き集めたゴミは床下に落とし込むだけでよいため効率的に掃除ができるし、掃き集めたゴミを一時的に隠せるため見映えもよい。しかし、その種のゴミ収納装置では、手や箒、ちりとりなどを使って集めたゴミを床下に一時保管できるにすぎず、部屋の端、隅などに溜まったゴミを迅速に効率的に収集する工夫や、装置内に溜めたゴミを効率的に処分する工夫はない。
【０００７】
本発明は、このような事情を考慮して提案されたもので、その目的は、屋内床の端、隅などに溜まったゴミを迅速かつ効率よく床下に収集し、処分できるゴミ収集装置を提供することにある。
【課題を解決するための手段】
【０００８】
上記目的を達成するために、請求項１に記載のゴミ収集装置は、上方を開口させたゴミ受け凹所が屋内床の隅空間に開設され、該開口に取り外し開閉可能な覆い蓋を被せて構成されたことを特徴とする。
【０００９】
請求項２に記載のゴミ収集装置は、ゴミ受け凹所に出し入れすることが可能な内ゴミ箱をさらに備えている。
【００１０】
請求項３に記載のゴミ収集装置では、内ゴミ箱が網目構造である。
【００１１】
請求項４に記載のゴミ収集装置は、ゴミ受け凹所は吸引口を有し、該吸引口を、床下側より吸引口に一端を接続させた連通管を通じて、掃除機の吸引ホースに連通させて、掃除機でゴミ受け凹所内に溜まったゴミを吸引する構成としている。
【００１２】
請求項５に記載のゴミ収集装置では、連通管の他端が壁面または床面に開口された掃除機のホース差込口に連結されている。
【発明の効果】
【００１３】
請求項１に記載のゴミ収集装置によれば、ゴミ受け凹所を屋内床の隅空間に設けて覆い蓋を被せて構成されるため、屋内の端、隅に溜まった埃や髪の毛などのゴミを凹所内に掃き入れやすく、迅速かつ効率よく隅空間のゴミを収集できる。また、ゴミ受け凹所は隅空間にあり、かつ使用しないときには覆い蓋をしているため、普段はほとんど目立たず、さらに覆い蓋の上面を床面と面一にし、床材と同一柄、素材に生成すれば、美観も損なわれない。
【００１４】
さらに、覆い蓋は取り外し開閉が可能であるため、掃除をするときは蓋を外して別の場所に置いておけば掃除のじゃまにはならない。
【００１５】
請求項２に記載のゴミ収集装置によれば、ゴミ受け凹所に出し入れすることが可能な内ゴミ箱を有した構造であるため、ゴミが溜まった内ゴミ箱を取り外すだけで簡易にゴミを捨てることができる。また、内ゴミ箱を備えているため、ゴミ受け凹所内の底面、壁面などにゴミが付着せず凹所内の掃除はほとんど必要なく、また内ゴミ箱は取り外し可能なため、丸洗いもできる。
【００１６】
請求項３に記載のゴミ収集装置によれば、内ゴミ箱が網目構造であるため、網目を通過しない大きなゴミと通過する小さなゴミとを、内ゴミ箱の中の外とに分別できる。内ゴミ箱の中に溜まったゴミは内ゴミ箱を取り出して処分すればよいし、網目を通過した小さなゴミは、凹所内を掃除機で吸引すれば容易に除去できる。
【００１７】
請求項４に記載のゴミ収集装置によれば、連通管を通じて、ゴミ受け凹所内のゴミを吸引口から掃除機で吸引する構成であるため、ゴミ受け凹所内のゴミの処分が簡便に行える。
【００１８】
また、網目構造の内ゴミ箱を設けたものでは、内ゴミ箱を収容した状態で、連通管を通じて掃除機で吸引すると、ゴミ受け凹所内の内ゴミ箱内やその下方の凹所内空間に溜まった微小なゴミを、網目を通して吸引できる。吸引によっても網目を通過せず内ゴミ箱内に残ったゴミについては、内ゴミ箱を取り出して処理すればよい。また、網目を通過しない大きなゴミが内ゴミ箱の下方の凹所内空間に溜まらないので、網目を適度な寸法にすることで、吸引の際に吸引口に大型のゴミが入り込んでゴミ詰まりを起こすことを防止できる。
【００１９】
請求項５に記載のゴミ収集装置によれば、連通管の他端が壁面または床面に開口された掃除機のホース差込口に連結されているため、掃除機をホース差込口の近傍に常置しておけば、ゴミ受け凹所内のゴミの処分がきわめて楽に行える。また、ホース差込口を備えているため、連通管を床下などに隠すことができる。
【発明を実施するための最良の形態】
【００２０】
以下に、本発明の実施の形態について、添付図面を参照しながら説明する。
【００２１】
図１は、本発明の第１の実施形態を示す図で、（ａ）はゴミ収集装置の概略斜視図、（ｂ）は概略平面図である。
【００２２】
このゴミ収集装置１０は、屋内床２０の端、入り隅などの隅空間２１に配設されるもので、床辺縁２１ａに沿って形成されたゴミ受け凹所１１と、そのゴミ受け凹所１１の上方開口１１ａを塞ぐ取り外し開閉可能な覆い蓋１２とよりなる。なお、図１（ａ）は、取り外した覆い蓋１２を開口１１ａの近傍に置いた状態を示しており、（ｂ）は覆い蓋１２を取り外した状態を示している。
【００２３】
このゴミ受け凹所１１は、屋内床２０の一部をくり抜いて、そのくり抜き開口に、上方に開口１１ａを有した有底箱体が配設されることで形成される。図１の例では、平面視で長方形のものが室内の入り隅部に設けられているが、図２（ａ）〜（ｃ）に例示するように、Ｌ字形のものを入り隅部に配設してもよいし、入り隅部に限らず、床辺縁２１ａに沿って、細長い長方形、半楕円、半円などのものを配設してもよい。また、屋内床２０の端部に家具が設置されている場合は、その家具に接する隅空間にゴミ受け凹所を配設してもよい。
【００２４】
覆い蓋１２は木質素材など、屋内床２０を構成する床材と同一柄、素材で形成されることが望ましく、覆い蓋１２を閉じたときには、覆い蓋１２の上面が床面と略面一となって覆い蓋１２が屋内床２０の一部をなす。また覆い蓋１２の上面には、回転式の取っ手１２ｂが取り付けられている。
【００２５】
また、ゴミ受け凹所１１内の側壁１１ｃには覆い蓋１２を載置する載置部１１ｄが形成されている。図１の例では、載置部１１ｄは対向する二短辺に配設されているが、四辺に設けてもよい。
【００２６】
なお、このゴミ受け凹所１１は、ゴミを凹所１１の回りから箒などで掃き落として集めておくものであるため、その際にゴミが載置部１１ｄの上に留まらないように、図３（ａ）の概略縦断面図に示すように、載置部１１ｄとそこに載せ置く覆い蓋１２の載置端部１２ａとを傾斜状に形成してもよい。さらにゴミをゴミ受け凹所１１内の中央に集めやすくするために、図３（ａ）に示すように側壁１１ｃを傾斜させた形状にしてもよい。また、ゴミを凹所１１内の中央に集めやすくするために、図３（ｂ）の概略縦断面図に示すように、ゴミ受け凹所１１を略半円筒状など湾曲状に形成してもよい。
【００２７】
以上に示したゴミ収集装置１０によれば、部屋の隅空間２１にゴミ受け凹所１１を設けた構成であるため、箒などで簡単に、部屋の端、隅などに溜まりやすい埃や髪の毛などのゴミを掃き落として、それらのゴミを一時的に収納しておくことができる。壁２２に沿って細長いものを設ければ、より簡便かつ迅速に室内のゴミ処理ができる。
【００２８】
特に、図１のものでは、壁側の凹所側壁１１ｃとその上方の巾木２２ａとが面一になって、その間は段差や隙間が形成されていない。そのため、巾木２２ａに付着した埃なども途中で留まることなくゴミ受け凹所１１内に掃き落とすことができる。また、覆い蓋１２は取り外し開閉が可能であるため、掃除をするときは覆い蓋１２を外して別の場所に置いておけば掃除のじゃまにはならない。
【００２９】
さらに、ゴミ受け凹所１１は隅空間２１に設けられ、かつ取り外し自在な覆い蓋１２を被せる構成であるため、掃除しないときには覆い蓋１２を被せておけばほとんど目立たない。特に、覆い蓋１２の上面を床面と面一にし、屋内床２０を構成する床材と同一柄、同一素材に生成し、さらにゴミ受け凹所１１を床材の１枚分の幅に形成すれば、周辺の床材とは区別がつかず、室内空間の美観を損なうことはない。
【００３０】
また、本実施形態のゴミ受け凹所１１には、ゴミ受け凹所１１の底部１１ｂに床下側に連通する吸引口１１ｅが開設されている。この吸引口１１ｅは、その床下側で連通管１３の一端１３ａに連結され、その連通管１３の他端１３ｂが壁２２に設けたゴミ吸引用のホース差込口１４に接続されている。
【００３１】
図４（ａ）は、このゴミ収集装置１０の掃除機１５によるゴミ吸引態様を示すゴミ収集装置１０の概略縦断面図である。この図に示すように、ホース差込口１４に掃除機１５の吸引ホース１５ａを差し込んで掃除機１５を駆動すると、連通管１３に接続されたゴミ受け凹所１１内のゴミは、連通管１３を通じて吸引され、掃除機１５内に取り込まれる。なお、図４（ｂ）に示すように、ホース差込口１４は同室または別室の屋内床２０に設けてもよい。また吸引口１１ｅは、ゴミ受け凹所１１内の側壁１１ｃに設けてもよい。
【００３２】
なお図４（ａ）、（ｂ）では、覆い蓋１２の図示を省略しているが、掃除機１５によるゴミの吸引の際には、覆い蓋１２を被せた状態、外した状態のいずれでも吸引が行える。
【００３３】
このように、このゴミ収集装置１０は、掃除機１５の吸引でゴミ受け凹所１１から連通管１３を通じてゴミを除去する構成であるため、ゴミ受け凹所１１内のゴミの処分が簡便に行える。覆い蓋１２をした状態でも吸引できるため、覆い蓋１２を取り外す手間がいらない。また、掃除機１５の吸引ホース１５ａを差し込むホース差込口１４を備えているため、連通管１３を床下や壁裏などに隠すことができる。
【００３４】
さらに、水の吸引が可能な掃除機の吸引ホースをホース差込口１４に差し込んで、ゴミ受け凹所１１内に水を流し込んで連通管１３の内部とともに洗浄し、その後、ゴミを含んだ水分を掃除機で吸引してもよい。そしてさらに、掃除機で水を吸引した後に、掃除機の送風機能を利用して、ゴミ受け凹所１１内と連通管１３内に送風して乾燥させるようにしてもよい。
【００３５】
なお、図４の例のように、連通管１３の他端１３ｂが接続されるホース差込口１４を設けて、床下や壁裏など表面に見えない箇所に全体を隠すように連通管１３を配設することが望ましいが、連通管１３の吸引口１１ｅ側の端部を床下に配設し、連通管１３の途中から他端１３ｂまでを床上に這わせるようにして、連通管１３に直接、掃除機１５の吸引ホース１５ａを接続させて吸引するような構成であってもよい。
【００３６】
また、本実施形態では、掃除機１５によりゴミ受け凹所１１内のゴミを、連通管１３を通じて吸引、除去する構成としているが、ゴミ受け凹所１１内に直接掃除機のホースの先をさしいれてゴミを吸引するようにしてもよい。このような連通管１３を通じた吸引を行わない場合には、連通管１３にゴミが入り込まないように、吸引口１１ｅおよびホース差込口１４に栓をしておくことが望ましい。
【００３７】
図５は、本発明の第２の実施形態を示す図で、（ａ）はゴミ収集装置の概略斜視図、（ｂ）は概略縦断面図である。なお、図５において第１の実施形態に示したものと同一の構成については、同一の符号を付して、その説明は省略する。
【００３８】
このゴミ収集装置１０は、ゴミ受け凹所１１内に出し入れ自在の内ゴミ箱１６が内装されている。この内ゴミ箱１６は、上方に開口１６ａを有した有底箱体であり、出し入れしやすくするために軽量の樹脂で製されたものが望ましいが、木質や金属製でもよい。また、網目状に製されたものでもよい。
【００３９】
また、内ゴミ箱１６は、上方開口１６ａの周縁にフランジ片１６ｂが周設され、そのフランジ片１６ｂがゴミ受け凹所１１内の載置部１１ｄに載せ置かれて、ゴミ受け凹所１１内に収容される。内ゴミ箱１６が収容された状態では、ゴミ受け凹所１１内には、内ゴミ箱１６の底部とゴミ受け凹所１１の底部１１ｂとの間に空間１１ｆが形成される。また、フランジ片１６ｂの対向箇所には手提げ状などの取っ手１６ｃが設けられている。覆い蓋１２は、取り外し開閉が可能であり、内ゴミ箱１６の上に被せられ、覆い蓋１２をしたときには覆い蓋１２の上面と床面とが略面一となる。
【００４０】
図６は、図５に示した床下ゴミ収集装置１０の内ゴミ箱１６に溜まったゴミを処理する方法を説明するための図で、（ａ）は内ゴミ箱１６がゴミを通過させない箱体で形成された場合、（ｂ）は内ゴミ箱１６が網目状に形成され、かつゴミ受け凹所１１に吸引口１１ｅを設けた場合の各縦断面図である。
【００４１】
図６（ａ）のものでは、内ゴミ箱１６がゴミを通過しないので、ゴミ受け凹所１１に掃き落としたゴミは内ゴミ箱１６内に収集される。そのため、内ゴミ箱１６を取り外すだけで簡易にゴミを捨てることができる。また、内ゴミ箱１６の下方の凹所内空間１１ｆにはゴミが溜まらず、ゴミ受け凹所１１内の壁面、底面などにはゴミが付着しないため、ゴミ受け凹所１１の内面を掃除する必要はほとんどない。さらに、内ゴミ箱１６は取り外して丸洗いできるため、汚れが残らず、ゴミを溜めていないときはゴミ受け凹所１１内空間を清潔にしておくことができる。
【００４２】
一方、図６（ｂ）のものでは、ゴミ受け凹所１１内に吸引口１１ｅがあり、かつ内ゴミ箱１６が網目状に形成されているので、ゴミ受け凹所１１内に溜まった髪の毛などの細かなゴミを、連通管１３を通じて掃除機で吸引することができる。内ゴミ箱１６が網目状であるため、内ゴミ箱１６内に残留している微小なゴミについても網目を通して吸引できる。吸引によっても網目を通過せず内ゴミ箱１６内に残ったゴミについては、内ゴミ箱１６を取り出して処理すればよい。また、網目を通過しない大きなゴミが内ゴミ箱１６の下方の凹所内空間１１ｆに溜まらないので、網目を適度な寸法にすることで、吸引の際に吸引口１１ｅに大型のゴミが入り込んでゴミ詰まりを起こすことを防止できる。
【００４３】
また、図６の図例には示していないが、網目状の内ゴミ箱１６を、吸引口のないゴミ受け凹所１１に取り外し可能に取り付けたものでもよい。そのような構成にすれば、一部のゴミは下方空間１１ｆに落ち込むので、大きなゴミと小さなゴミとを、内ゴミ箱１６の中の外とに分別できる。内ゴミ箱１６の中のゴミは内ゴミ箱１６を取り出して処分すればよいし、網目を通過してゴミ受け凹所１１内に残った小さなゴミは、掃除機でゴミ受け凹所１１内を直接吸引して処分すればよい。また、内ゴミ箱１６にゴミが溜まっていないときには、掃除機で網目の上から、下方空間１１ｆに溜まったゴミを吸引することができる。
【００４４】
ついで、上記ゴミ収集装置１０を使用した集中ゴミ吸引システムについて説明する。このシステムに使用するゴミ収集装置１０は、吸引口１１ｅより連通管１３を通じて掃除機１５でゴミを吸引できるもの、例えば上述した第１の実施形態に示したゴミ収集装置１０、あるいは上述した第２の実施形態において吸引口１１ｅから吸引を可能としたゴミ収集装置１０などが使用できる。
【００４５】
図７は、この集中ゴミ吸引システムの一実施形態を簡易的に示した屋内間取り図である。
【００４６】
このシステムでは、屋内のリビングＲ１、浴室（着替え場）Ｒ２、トイレＲ３などの各室や廊下Ｒ４に、吸引口１１ｅを有したゴミ受け凹所１１が配設されており、それらの吸引口１１ｅのそれぞれに一端１３ａを接続した連通管１３の他端１３ｂは、集中吸引室ＣＲに設けた各部屋用のホース差込口１４に接続されている。
【００４７】
このようなシステム構成によれば、集中吸引室ＣＲ内に各部屋用のホース差込口１４を備えているため、掃除機１５の吸引ホース１５ａ（図４を参照）を複数の部屋について順次差し換えながら駆動させるだけで各部屋のゴミ受け凹所１１内のゴミを吸引処分できる。また、掃除機１５を集中吸引室ＣＲの外に移動させる必要がないので、掃除を楽に行える。また、各部屋の掃除と掃除機１５による吸引とを別タイミングで行えるため、掃除を効率的に行える。
【００４８】
なお、集中吸引室ＣＲは適当な部屋を割り当てればよく、例えばリビングＲ１や廊下Ｒ４などを集中吸引室に割り当ててもよい。
【００４９】
つぎに、掃除機１５を床下に埋設、常置したゴミ収集装置について説明する。このゴミ収集装置１０も、例えば第１の実施形態のもの、第２の実施形態において吸引口１１ｅから吸引を可能としたものなど、吸引口１１ｅより連通管１３を通じて掃除機１５でゴミを吸引できるようにしたものが使用できる。
【００５０】
図８は、掃除機を床下に固定配設したゴミ収集装置の概念図（概略縦断面図）である。
【００５１】
このゴミ収集装置１０では、ゴミ受け凹所１１の吸引口１１ｅには、連通管１３を通じて、床下に固定配設された掃除機１５が接続され、さらにこの掃除機１５を駆動するためのスイッチ１７を室内などに設けた構成となっている。
【００５２】
このように、このゴミ収集装置１０は、掃除機１５が床下に固定配設されて、室内などからの遠隔操作でワンタッチ駆動できる構成であるため、ゴミ受け凹所１１のゴミ処理がさらに簡便となる。
【００５３】
なお、掃除機１５は家庭仕様の掃除機を使用してもよいが、床下常設用に特注のものを使用するほうが望ましい。また、吸引力の強力な大型のものを使用して、同時に複数の部屋から吸引できるようにしてもよい。
【００５４】
以上に説明した種々のゴミ収集装置１０（ゴミ受け凹所１１および覆い蓋１２）は、既存の床を現場で加工して構成できるが、床材のオプションとして各部品を準備してもよい。
【図面の簡単な説明】
【００５５】
【図１】本発明の第１の実施形態を示す図であり、（ａ）はゴミ収集装置の概略斜視図、（ｂ）は概略平面図である。
【図２】（ａ）〜（ｃ）は、凹所の平面形状の他例を示す図である。
【図３】（ａ）、（ｂ）は、ゴミ受け凹所および覆い蓋の他の構造例を示す概略縦断面図である。
【図４】（ａ）は同実施形態におけるゴミ収集装置の掃除機によるゴミ吸引態様を示すゴミ収集装置の概略縦断面図であり、（ｂ）は他の態様を示すゴミ収集装置の概略縦断面図である。
【図５】本発明の第２の実施形態を示す図であり、（ａ）はゴミ収集装置の概略斜視図、（ｂ）は概略縦断面図である。
【図６】同実施形態におけるゴミ収集装置のゴミ処理の説明図であり、（ａ）は吸引口なしの例、（ｂ）内ゴミ箱が網目構造で、かつ吸引口ありの例を示している。
【図７】本発明のゴミ収集装置を使用した集中ゴミ吸引システムの一例を示した屋内見取り図である。
【図８】掃除機を床下に設置したゴミ収集装置の概念図（概略縦断面図）である。
【符号の説明】
【００５６】
１０      ゴミ収集装置
１１      ゴミ受け凹所
１１ａ      開口
１１ｂ      底部
１１ｃ      側壁
１１ｄ      覆い蓋の載置部
１１ｅ      吸引口
１１ｆ      内ゴミ箱の下方空間
１２      覆い蓋
１２ａ      載置端部
１２ｂ      取っ手
１３      連通管
１３ａ      一端
１３ｂ      他端
１４      ホース差込口
１５      掃除機
１５ａ      掃除機の吸引ホース
１６      内ゴミ箱
１６ａ      開口
１６ｂ      フランジ片
１６ｃ      取っ手
２０      屋内床
２１      隅空間
２１ａ      床辺縁
２２      壁
２２ａ      巾木
【図１】
2010047359.tif 000003
【図２】
2010047359.tif 000004
【図３】
2010047359.tif 000005
【図４】
2010047359.tif 000006
【図５】
2010047359.tif 000007
【図６】
2010047359.tif 000008
【図７】
2010047359.tif 000009
【図８】
2010047359.tif 000010